【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
一対の針棒を上下動可能に個々に支持する針棒支持体と、
前記一対の針棒を個々に保持する針棒抱きを用いて前記各針棒を上下動させる針棒上下動機構と、
前記針棒抱きに対する前記各針棒の保持と解除を行うと共に、当該各針棒の保持と解除とを切り替える外部からの作動力の入力を受ける複数の入力部材を備えるクラッチ機構と、
前記クラッチ機構の昇降動作によりいずれかの入力部材に選択的に当接させて前記各針棒の保持又は解除のいずれかの切り替えを行う切り替え部材とを備え、
前記一対の針棒の上下動を選択的に停止可能な片針停止機能を備えた二本針ミシンの針棒機構において、
前記針棒抱きに設けられると共に当該針棒抱きと前記各針棒との摺動部位にグリスを供給するグリス供給手段とを備えることを特徴とする二本針ミシンの針棒機構。
【請求項２】
前記グリス供給手段は、グリスを含浸保持する含浸部材であって前記各針棒に摺接するように前記針棒抱きに設けられていることを特徴とする請求項１記載の二本針ミシンの針棒機構。
【請求項３】
一対の針棒を上下動可能に個々に支持する針棒支持体と、
前記一対の針棒を個々に保持する針棒抱きを用いて前記各針棒を上下動させる針棒上下動機構と、
前記針棒抱きに対する前記各針棒の保持と解除を行うと共に、当該各針棒の保持と解除とを切り替える外部からの作動力の入力を受ける複数の入力部材を備えるクラッチ機構と、
前記クラッチ機構の昇降動作によりいずれかの入力部材に選択的に当接させて前記各針棒の保持又は解除のいずれかの切り替えを行う切り替え部材とを備え、
前記一対の針棒の上下動を選択的に停止可能な片針停止機能を備えた二本針ミシンの針棒機構において、
前記切り替え部材の少なくとも前記各入力部材との当接部位を、窒化処理が施され、クロムが含有された高炭素合金鋼としたことを特徴とする二本針ミシンの針棒機構。
【請求項４】
前記切り替え部材の窒化処理による化合物層を形成したことを特徴とする請求項３記載の二本針ミシンの針棒機構。
【請求項５】
前記各入力部材の少なくとも前記切り替え部材との当接部位を、微粒子ショット処理を施した高炭素合金鋼としたことを特徴とする請求項３又は４記載の二本針ミシンの針棒機構。
【請求項６】
前記切り替え部材の前記各入力部材との前記当接部位の表面硬さを、前記各入力部材の前記切り替え部材との前記当接部位よりも、高くしたことを特徴とする請求項３，４又は５記載の二本針ミシンの針棒機構。
【請求項７】
一対の針棒を上下動可能に個々に支持する針棒支持体と、
前記一対の針棒を個々に保持する針棒抱きを用いて前記各針棒を上下動させる針棒上下動機構と、
前記針棒抱きに対する前記各針棒の保持と解除を行うと共に、当該各針棒の保持と解除とを切り替える外部からの作動力の入力を受ける複数の入力部材を備えるクラッチ機構と、
前記クラッチ機構の昇降動作によりいずれかの入力部材に選択的に当接させて前記各針棒の保持又は解除のいずれかの切り替えを行う切り替え部材とを備え、
前記一対の針棒の上下動を選択的に停止可能な片針停止機能を備えた二本針ミシンの針棒機構において、
前記各入力部材の少なくとも前記切り替え部材との当接部位を、微粒子ショット処理を施した浸炭肌焼鋼としたことを特徴とする二本針ミシンの針棒機構。
【請求項８】
請求項１から７のいずれか一項に記載の二本針ミシンの針棒機構をミシン機枠の面部の内側に備え、
前記ミシン機枠の面部の内側をグリス潤滑とすることを特徴とする二本針ミシン。
【手続補正２】
【補正対象書類名】明細書
【補正対象項目名】０００９
【補正方法】変更
【補正の内容】
【０００９】
請求項３記載の発明は、一対の針棒を上下動可能に個々に支持する針棒支持体と、一対の針棒を個々に保持する針棒抱きを用いて各針棒を上下動させる針棒上下動機構と、針棒抱きに対する各針棒の保持と解除を行うと共に、当該各針棒の保持と解除とを切り替える外部からの作動力の入力を受ける複数の入力部材を備えるクラッチ機構と、クラッチ機構の昇降動作によりいずれかの入力部材に選択的に当接させて各針棒の保持又は解除のいずれかの切り替えを行う切り替え部材とを備え、一対の針棒の上下動を選択的に停止可能な片針停止機能を備えた二本針ミシンの針棒機構において、切り替え部材の少なくとも各入力部材との当接部位を、窒化処理が施され、クロムが含有された高炭素合金鋼とする、という構成を採っている。
【手続補正３】
【補正対象書類名】明細書
【補正対象項目名】００１１
【補正方法】変更
【補正の内容】
【００１１】
上記構成では、二本針による縫製時には、針棒支持体に支持された二本の針棒がクラッチ機構により針棒抱きに保持される。
そして、いずれか一方の針棒のみで縫製を行う場合には、針棒の保持状態を解除するための入力部材に当接するように切り替え部材に操作を加える。その結果、針棒抱きの上下動により、その入力部材と切り替え部材とが当接し、他方の針棒の針棒抱きによる保持状態が解除される。
再び、二本の針棒で縫製を行う場合には、保持状態を解除された針棒の保持を行わせるための入力部材に当接するように切り替え部材に操作を加える。その結果、針棒抱きの上下動により、その入力部材と切り替え部材とが当接し、解除されていた針棒が再び針棒抱きにより保持される。
このように、二本針の保持と解除とがそれぞれ行われるたびに、切り替え部材は各入力部材と衝突を行う頻度が高くなるが、その表面に窒化クロムが形成された高炭素合金鋼であるため、硬度が高くなり、耐食性、耐摩耗性について向上が図られている。
【手続補正４】
【補正対象書類名】明細書
【補正対象項目名】００１６
【補正方法】変更
【補正の内容】
【００１６】
請求項７記載の発明は、一対の針棒を上下動可能に個々に支持する針棒支持体と、一対の針棒を個々に保持する針棒抱きを用いて各針棒を上下動させる針棒上下動機構と、針棒抱きに対する各針棒の保持と解除を行うと共に、当該各針棒の保持と解除とを切り替える外部からの作動力の入力を受ける複数の入力部材を備えるクラッチ機構と、クラッチ機構の昇降動作によりいずれかの入力部材に選択的に当接させて各針棒の保持又は解除のいずれかの切り替えを行う切り替え部材とを備え、一対の針棒の上下動を選択的に停止可能な片針停止機能を備えた二本針ミシンの針棒機構において、各入力部材の少なくとも切り替え部材との当接部位を、微粒子ショット処理を施した浸炭肌焼鋼とした、という構成を採っている。
【手続補正５】
【補正対象書類名】明細書
【補正対象項目名】００１７
【補正方法】変更
【補正の内容】
【００１７】
上記構成でも、二本の針棒の保持解除の切り替え替えは、請求項３記載の発明と同様に行われる。
そして、二本針の保持又は解除が行われると、いずれかの入力部材が切り替え部材と衝突を行うこととなるが、その表面が微粒子ショット処理を施した浸炭肌焼鋼であるため硬度が高く、繰り返される衝突による疲労を生じにくくなる。また、微量でも潤滑剤の供給を受けると、微粒子ショットにより形成される微小な凹部に潤滑剤が保持されて、衝突時のフレッティング摩耗も低減される。
【手続補正６】
【補正対象書類名】明細書
【補正対象項目名】００２１
【補正方法】変更
【補正の内容】
【００２１】
請求項３記載の発明は、各針棒の保持及び解除の切替時に衝突を生じる切り替え部材の衝突部位を窒化処理されたクロム含有高炭素合金鋼で形成したことから、従来と比べて、硬度が高くなり、耐食性、耐摩耗性について向上が図られる。従って、これらの特性の変化により、繰り返される衝突によるフレッティング摩耗に対して耐久性が向上し、長期間に渡って正常な作動を維持することが可能となる。
【手続補正７】
【補正対象書類名】明細書
【補正対象項目名】００２５
【補正方法】変更
【補正の内容】
【００２５】
請求項７記載の発明は、いずれかの針棒の保持又は解除の切替時に衝突を生じる入力部材の衝突部位を微粒子ショット処理を施した浸炭肌焼鋼としたことから、従来と比べて、硬度が高くなり、耐疲労性、耐摩耗性について向上が図られる。従って、これらの特性の変化により、繰り返される衝突によるフレッティング摩耗に対して耐久性が向上し、長期間に渡って正常な作動を維持することが可能となる。